(57)【要約】【課題】表示装置の設置場所を変更することなく、画面の輝度調整を適切に行い、受光の障害物を回避して遠隔操作装置の操作信号を受信することができる表示装置を提供する。【解決手段】表示部１の外縁部に形成した凹所に、表示部１を囲むように複数のレセプタクル３を形成し、該レセプタクル３には明るさセンサ４を担持したプラグ５又はリモコン受光部６を担持したプラグ７を嵌合可能とする。使用者がプラグ５を嵌合させるレセプタクル３を選択して、太陽光２２及び影２７の何れの影響も受けない部位に明るさセンサ４を位置させた場合、表示装置は、明るさセンサ４が本来測定の目的とした光に基づいて、表示部１の輝度を調整し、使用者がプラグ７を嵌合させるレセプタクル３を選択して家具２８による影響を回避できる部位にリモコン受光部６を位置させた場合、表示装置は遠隔操作装置から操作信号を確実に受信する。【選択図】図３
2009003126.tif 000002
【特許請求の範囲】
【請求項１】
周囲の明るさを測定する測定器を有し、該測定器の測定結果に基づいて輝度を増減させた画像を表示する表示装置において、
前記測定器を着脱可能に装着する装着部を複数備えることを特徴とする表示装置。
【請求項２】
前記装着部は、前記画像を表示する面の外縁部に形成してあり、
前記測定器は、前記装着部に嵌合するようにしてあることを特徴とする請求項１に記載の表示装置。
【請求項３】
周囲の明るさを測定する測定器と、遠隔操作装置の操作信号を受信する受光器とを有し、前記測定器の測定結果に基づいて輝度を増減させた画像を表示する表示装置において、
前記測定器又は前記受光器夫々を着脱可能に各装着する装着部を複数備えることを特徴とする表示装置。
【請求項４】
前記装着部は、前記画像を表示する面の外縁部に形成してあり、
前記測定器及び前記受光器は、夫々前記装着部に嵌合するようにしてあることを特徴とする請求項３に記載の表示装置。
【請求項５】
周囲の明るさを測定する測定器と、遠隔操作装置の操作信号を受信する受光器とを有し、前記測定器の測定結果に基づいて輝度を増減させた画像を表示する表示装置において、
前記測定器を着脱可能に装着する装着部と、前記受光器を着脱可能に装着する装着部とを夫々複数備えることを特徴とする表示装置。
【発明の詳細な説明】
【技術分野】
【０００１】
本発明は、設置環境の明るさに応じて、輝度を適切に調整する表示装置に関する。
【背景技術】
【０００２】
従来より、テレビジョン受像機等の表示装置に明るさセンサを搭載し、周囲の明るさに応じた画面の輝度調整を可能としていた。しかし、明るさセンサの測定位置が固定されていた場合、例えば明るさセンサに太陽光等の外光が入射したとき、又は明るさセンサに入射する照明光の一部が家具等の設置物で遮られたときに、周囲の明るさを適切に検知できないことがあった。また、表示装置の設置場所そのものに制約がある場合が多いため、明るさセンサが表示装置の設置環境に対して望ましい測定位置にあるといえることはむしろ少なかった。
【０００３】
これに対し、特許文献１では、複数の明るさセンサを備え、最も強い明るさを検知したセンサに合わせて、画面の輝度調整を行う技術が開示されている。
【特許文献１】特開平２−１４１７９６号公報
【発明の開示】
【発明が解決しようとする課題】
【０００４】
しかしながら、特許文献１に開示された技術では、表示装置の一部に太陽光等の強い外光が入射している状況において、必要以上に画面全体の輝度が増すことがある、という問題があった。
【０００５】
本発明は斯かる事情に鑑みてなされたものであり、その目的とするところは、周囲の明るさの測定位置を選択自在とし、使用者が測定位置を調整した場合、調整後の測定位置での明るさに基づいて画面の輝度を調整するように構成することにより、設置場所を変更することなく、画面の輝度調整を適切に行うことが可能な表示装置を提供することにある。更にこれに併せて、遠隔操作装置の操作信号の受光位置を選択自在とし、使用者が受光位置を調整した場合、受光の障害物を回避して、前記操作信号を受信することが可能な表示装置を提供することを目的とする。
【課題を解決するための手段】
【０００６】
本発明に係る表示装置は、周囲の明るさを測定する測定器を有し、該測定器の測定結果に基づいて輝度を増減させた画像を表示する表示装置において、前記測定器を着脱可能に装着する装着部を複数備えることを特徴とする。
【０００７】
本発明にあっては、周囲の明るさを測定する測定器の装着部を複数備え、使用者が前記測定器の装着部を選択した場合、選択した装着部を測定位置として、当該測定位置での明るさに基づいて画面の輝度を調整する。これにより、使用者が前記測定器の測定位置を適切に調整した場合、外光の入射及び室内照明光の遮蔽の影響を受けずに測定した明るさに基づいて、画面の輝度を調整する。
【０００８】
本発明に係る表示装置は、前記装着部は、前記画像を表示する面の外縁部に形成してあり、前記測定器は、前記装着部に嵌合するようにしてあることを特徴とする。
【０００９】
本発明にあっては、画像を表示する面の外縁部に複数の装着部を形成し、該装着部の何れか一つに、周囲の明るさを測定する測定器を嵌合させる。使用者が該測定器の装着部を選択した場合、前記測定器の測定位置が定まる。これにより、使用者は周囲の明るさを測定する測定器の測定位置を簡便に調整することが可能となる。
【００１０】
本発明に係る表示装置は、周囲の明るさを測定する測定器と、遠隔操作装置の操作信号を受信する受光器とを有し、前記測定器の測定結果に基づいて輝度を増減させた画像を表示する表示装置において、前記測定器又は前記受光器夫々を着脱可能に各装着する装着部を複数備えることを特徴とする。
【００１１】
本発明にあっては、周囲の明るさを測定する測定器、又は遠隔操作装置の操作信号を受信する受光器夫々を、着脱可能に各装着する装着部を複数備え、使用者が前記測定器及び前記受光器夫々の装着部を選択した場合、選択された装着部を夫々測定位置及び受光位置として、夫々明るさの測定及び操作信号の受信を行う。これにより、使用者が前記測定器の測定位置を適切に調整した場合、外光の入射及び室内照明光の遮蔽の影響を受けずに測定した明るさに基づいて、画面の輝度を調整する。また、使用者が前記受光器の受光位置を適切に調整した場合、遠隔操作装置からの操作信号を確実に受信する。
【００１２】
本発明に係る表示装置は、前記装着部は、前記画像を表示する面の外縁部に形成してあり、前記測定器及び前記受光器は、夫々前記装着部に嵌合するようにしてあることを特徴とする。
【００１３】
本発明にあっては、画像を表示する面の外縁部に複数の装着部を形成し、該装着部の何れか一つに周囲の明るさを測定する測定器を、他の何れか一つに遠隔操作装置の操作信号を受信する受光器を嵌合させる。使用者が前記測定器及び前記受光器夫々の装着部を選択した場合、前記測定器及び前記受光器は、夫々測定位置及び受光位置が定まる。これにより使用者は、周囲の明るさを測定する測定器の測定位置、及び遠隔操作装置の操作信号の受光位置を、夫々簡便に調整することが可能となる。
【００１４】
本発明に係る表示装置は、周囲の明るさを測定する測定器と、遠隔操作装置の操作信号を受信する受光器とを有し、前記測定器の測定結果に基づいて輝度を増減させた画像を表示する表示装置において、前記測定器を着脱可能に装着する装着部と、前記受光器を着脱可能に装着する装着部とを夫々複数備えることを特徴とする。
【００１５】
本発明にあっては、周囲の明るさを測定する測定器を着脱可能に装着する装着部と、遠隔操作装置の操作信号を受信する受光器を着脱可能に装着する装着部とを夫々複数備え、使用者が前記測定器及び前記受光器夫々の装着部を選択した場合、選択された装着部を夫々測定位置及び受光位置として、夫々明るさの測定及び操作信号の受信を行う。これにより、使用者が前記測定器の測定位置を適切に調整した場合、外光の入射及び室内照明光の遮蔽の影響を受けずに測定した明るさに基づいて、画面の輝度を調整する。また、使用者が前記受光器の受光位置を適切に調整した場合、遠隔操作装置からの操作信号を確実に受信する。
【発明の効果】
【００１６】
本発明によれば、周囲の明るさを測定する測定器の装着部を選択自在にしてあり、使用者が測定器の装着部を選択して測定位置を適切に調整した場合、外光の入射及び室内照明の遮蔽の影響を受けずに測定した明るさに基づいて、画面の輝度を調整する。従って、表示装置の設置場所を変更することなく、画面の輝度調整を適切に行うことが可能となる。更に前記装着部は、前記測定器、又は遠隔操作装置の操作信号を受信する受光器を、共通的に（又は何れか一方を選択的に）装着自在にしてあり、使用者が受光器の装着部を選択して受光位置を適切に調整した場合、受光の障害物を回避して、前記操作信号を受信することが可能となる。
【発明を実施するための最良の形態】
【００１７】
以下、本発明をその実施の形態を示す図面に基づいて詳述する。
（実施の形態）
図１は、本発明の実施の形態に係る表示装置を模式的に示す正面図である。図中１は液晶パネルによる表示部であり、表示部１の外縁部から背面部までを外装２が覆っている。外装２の前面には、周縁部に形成した凹所に、表示部１を囲むように、複数のレセプタクル３が配設されている。
【００１８】
レセプタクル３の一つには、明るさセンサ４を担持したプラグ５が嵌合されており、プラグ５は図中矢印で示すように、任意の空きレセプタクル３に嵌合させることが可能である。レセプタクル３の他の一つには、リモコン受光部６を担持したプラグ７が嵌合されている。このように、レセプタクル３は、プラグ５又はプラグ７を共通的に嵌合させることが可能である。プラグ５及びプラグ７の何れも嵌合されていないレセプタクル３には、前記凹所を隠蔽し、内部にある端子部を保護するために、ダミープラグ８を嵌合させてある。
【００１９】
図２は、実施の形態に係る表示装置の概略構成を示すブロック図である。制御部１１は、ＣＰＵ、内蔵ＲＯＭ、バスインタフェース及び入出力インタフェースで構成されるマイクロコンピュータである。制御部１１は、バスインタフェースを介して、キャラクタ等の固定データを記憶するＲＯＭ１２、一時的に発生したデータを記憶するＲＡＭ１３、明るさセンサ４、リモコン受光部６、並びに表示部１へ表示する映像の信号処理を行う映像処理部１５と接続されている。制御部１１はまた、入出力インタフェースを介して、明るさセンサ４、リモコン受光部６、映像処理部１５及び表示部１を照光するバックライト１６と接続されている。
【００２０】
制御部１１は、内蔵ＲＯＭに予め格納されているプログラムに従って、ＲＡＭ１３へのデータの読み書き、明るさセンサ４からの明るさの読み出し、リモコン受光部６からの操作信号の読み出し、映像処理部１５への映像処理制御、及びバックライト１６の輝度制御を行う。制御部１１は、明るさセンサ４から読み出した電圧値としての明るさ及びＲＯＭ１２に予め書き込まれたテーブルに基づいて、バックライト１６の冷陰極管の輝度をＰＷＭ調光（駆動する高周波のデューティを上／下させて調光する方式）により調整する。バックライト１６の輝度は、前記明るさの強／弱に合わせて増／減させるようにしてある。
【００２１】
図３は、実施の形態に係る表示装置に対する外光、室内光及び室内設置物の影響を模式的に示す説明図である。表示装置の前面右下端部は、窓２１を透過して入射した太陽光２２に照射されており、明るさの測定には適していない。また、表示装置の前面左下端部は、室内照明２５の照明光が家具２６で遮られた陰２７に覆われており、こちらも明るさの測定には適さない。更にまた、他の家具２８の影響で、表示装置の前面右下端部には、リモコン９の操作信号が届かない。
【００２２】
このような設置場所において、使用者が、太陽光２２及び影２７の何れの影響も受けない部位に位置するレセプタクル３に、プラグ５を嵌合させた場合、表示装置は、明るさセンサ４が本来測定の目的とした光に基づいて、表示部１の輝度を調整する。また、使用者が、他の家具２８の影響を受けない部位に位置するレセプタクル３にプラグ７を嵌合させた場合、表示装置のリモコン受光部６は、家具２８に遮られること無く、リモコン９の操作信号を受信する。
【００２３】
図４は、レセプタクル３を表示部１の前面右下側から見た模式的な斜視図である。レセプタクル３は、略直方体状の空洞をなし、開口３１と略垂直をなす周面３２及び略矩形の内奥面３３に囲まれて構成されている。また、内奥面３３は表示部１の表示面に略並行にしてある。全てのレセプタクル３は、周面３２のうち開口３１の一短辺を含む面を底面として配設されている。周面３２のうち左側面には、プラグ５及びプラグ７夫々の左右を間違えて嵌合されるのを防止するために、断面が半円状の突状部３４が、開口３１から内奥面３３にかけて、空洞側に突出するように形成されている。
【００２４】
図５は、レセプタクル３を表示部１の前面側から見た場合の端子配置を示すレイアウト図である。プラグ５と接続するための端子部３ａは、Ｌ字型の３個の板状電極を、内奥面３３の右端部からレセプタクル３の右側面に沿うように屈曲させて等間隔に並設してある。また、プラグ７と接続するための端子部３ｂは、Ｌ字型の３個の板状電極を、内奥面３３の下端部からレセプタクル３の底面に沿うように屈曲させて等間隔に並設してある。これにより、共通であるレセプタクル３に対し、プラグ５及びプラグ７夫々が、別々の端子部３ａ及び端子部３ｂによって、夫々レセプタクル３の右側面及び底面において当接するようになっている。端子部３ａ及び端子部３ｂは、夫々制御部１１の入出力インタフェース及びバスインタフェースと接続されている。
【００２５】
図６は、プラグ５を平置きした場合の模式的な斜視図である。プラグ５は略直方体状をなし、レセプタクル３の左側面と当接する面には、レセプタクル３へ左右を間違えて嵌合されるのを防止するために、断面が半円状の切り欠き部５４が、突状部３４と嵌合する形状に形成されている。図６の上面中央部に設けた小円形の開口直下には、明るさセンサ４が内設されている。切り欠き部５４に対向する側面には、プラグ５がレセプタクル３に嵌合した場合に端子部３ａと当接するように、３個の板状電極を等間隔に並設した端子部５ａが配されている。該端子部５ａの各板状電極は、プラグ５の内部で明るさセンサ４に接続されている。
【００２６】
図７は、プラグ７を平置きした場合の模式的な斜視図である。プラグ７は略直方体状をなし、レセプタクル３の左側面と当接する面には、レセプタクル３へ左右を間違えて嵌合されるのを防止するために、断面が半円状の切り欠き部７４が、突状部３４と嵌合する形状に形成されている。図７の上面中央部に設けた小円形の開口直下には、リモコン受光部６が内設されている。レセプタクル３の底面と当接する面には、プラグ７がレセプタクル３に嵌合した場合に端子部３ｂと当接するように、３個の板状電極を等間隔に並設した端子部７ｂが配されている。該端子部７ｂの各板状電極は、プラグ７の内部でリモコン受光部６に接続されている。
【００２７】
図８は、プラグ５及びプラグ７の何れも嵌合されないレセプタクル３に嵌合させるための、ダミープラグ８を平置きした場合の模式的な斜視図である。ダミープラグ８は略直方体状をなし、レセプタクル３の左側面と当接する面には、断面が半円状の切り欠き部８４が、突状部３４と嵌合する形状に形成されている。ダミープラグ８の上面中央部には、レセプタクル３への着脱を容易にするためのつまみ部８ａが設けられている。
【００２８】
以上のように、本実施の形態にあっては、明るさセンサの測定位置を、レセプタクル位置に対応して選択自在にしてあり、使用者が、プラグを嵌合させるレセプタクルを選択して明るさセンサの測定位置を適切に調整した場合、外光の入射及び室内照明の遮蔽の影響を受けずに測定した周囲の明るさに基づいて、画面の輝度調整を適切に行うことが可能となる。
【００２９】
更に、明るさセンサをプラグに担持してあり、使用者が該プラグを嵌合させるレセプタクルを複数のレセプタクルから選択した場合、明るさセンサの測定位置を簡便に調整することが可能となる。
つまり、使用者が周囲の明るさの測定位置を簡便に調整することが可能な表示装置を提供する、という目的を達することもできる。
【００３０】
更にまた、明るさセンサの測定位置及びリモコン受光部の受光位置を、レセプタクル位置に対応して選択自在にしてあり、使用者が、夫々のプラグを嵌合させるレセプタクルを選択して、明るさセンサの測定位置を適切に調整した場合、外光の入射及び室内照明の遮蔽の影響を受けずに測定した周囲の明るさに基づいて、画面の輝度調整を適切に行うことが可能となり、リモコン受光部の受光位置を適切に調整した場合、受光の障害物を回避して、遠隔操作装置から操作信号を受信することが可能となる。
つまり、設置場所を変更することなく、画面の輝度調整を適切に行うと共に、受光の障害物を回避して、遠隔操作装置の操作信号を受信することが可能な表示装置を提供する、という目的を達することもできる。
【００３１】
更にまた、明るさセンサ及びリモコン受光部をプラグに担持してあり、使用者が夫々のプラグを嵌合させるレセプタクルを複数のレセプタクルから選択した場合、明るさセンサの測定位置及びリモコン受光部の受光位置を簡便に調整することが可能となる。
つまり、使用者が周囲の明るさの測定位置及びリモコン受光部の受光位置を簡便に調整することが可能な表示装置を提供する、という目的を達することもできる。
【００３２】
尚、実施の形態にあっては、装着部であるレセプタクル３への装着方法として、プラグ５又はプラグ７を嵌合させる例について説明したが、これに限定するものではなく、例えば、磁石等の吸引力を有する物を利用した装着部に、明るさセンサ４又はリモコン受光部６を担持する部材を吸引して、装着させてもよい。
【００３３】
また、全てのレセプタクル３に端子部３ａ及び端子部３ｂを配設し、夫々プラグ５の端子部５ａ及びプラグ７の端子部７ｂと当接するようにしてあるが、これに限定するものではなく、任意数おきのレセプタクル３にのみ端子部３ａ及び端子部３ｂを配設してもよい。
【００３４】
更にまた、レセプタクルは、プラグ５又はプラグ７の何れか一方を選択的に装着するものとしてもよい。この場合、例えばプラグ５及びプラグ７について夫々専用となる複数のレセプタクルを、夫々別々に表示部１の外縁部に配設する。これにより、使用者が夫々のプラグを嵌合させるレセプタクルを、夫々専用のレセプタクルから選択した場合、明るさセンサの測定位置及びリモコン受光部の受光位置を簡便に調整することが可能となる。
【００３５】
更にまた、バックライト１６の冷陰極管の輝度をＰＷＭ調光により調整する構成としたが、これに限定されるものではなく、電圧調光又は電流調光によって調整する構成としてもよい。更に、明るさセンサ４の電圧値としての出力に相関させた電圧を、そのままＰＷＭ調光、電圧調光又は電流調光の制御入力としてもよい。
【００３６】
更にまた、明るさセンサ４のアナログ値としての出力をＡ／Ｄ変換し、変換されたデジタル値をテーブルＲＯＭのアドレス入力に与えて、該テーブルＲＯＭの出力によって決まる電圧をＰＷＭ調光、電圧調光又は電流調光の制御入力とするような構成としてもよい。
【図面の簡単な説明】
【００３７】
【図１】本発明の実施の形態に係る表示装置を模式的に示す正面図である。
【図２】実施の形態に係る表示装置の概略構成を示すブロック図である。
【図３】実施の形態に係る表示装置に対する外光、室内光及び室内設置物の影響を模式的に示す説明図である。
【図４】レセプタクルを表示部の前面右下側から見た模式的な斜視図である。
【図５】レセプタクルを表示部の前面側から見た場合の端子配置を示すレイアウト図である。
【図６】プラグを平置きした場合の模式的な斜視図である。
【図７】プラグを平置きした場合の模式的な斜視図である。
【図８】ダミープラグを平置きした場合の模式的な斜視図である。
【符号の説明】
【００３８】
１    表示部
２    外装
３    レセプタクル
３ａ、３ｂ、５ａ、７ｂ  端子部
４    明るさセンサ
５、７  プラグ
６    リモコン受光部
８    ダミープラグ
９    リモコン
１１  制御部
１２  ＲＯＭ
１３  ＲＡＭ
１５  映像処理部
１６  バックライト
２１  窓
２２  太陽光
２５  室内照明
２６、２８  家具
２７  影
【図１】
2009003126.tif 000003
【図２】
2009003126.tif 000004
【図３】
2009003126.tif 000005
【図４】
2009003126.tif 000006
【図５】
2009003126.tif 000007
【図６】
2009003126.tif 000008
【図７】
2009003126.tif 000009
【図８】
2009003126.tif 000010